(57)【要約】【課題】結束具の破断、および、ツリープロテクタからの脱落を防止する。【解決手段】ツリープロテクタ１の外周に嵌め込み、該ツリープロテクタ１に隣接する支柱９に対して結束具５で結束することにより、ツリープロテクタ１を筒状に保持するとともに支柱９の横に支持するツリープロテクタ１の保持具２０において、ツリープロテクタ１の外形と略同一の内形を有する環状部材からなり、その端縁に結束具５を挿通する切欠部２２ａ，２３ａを設けた構成とする。切欠部２２ａ，２３ａは、Ｖ字形状に切り欠いた溝からなり、第１および第２切欠部２２ａ，２３ａの各傾斜辺を略平行に設ける。【選択図】図１
0003111056.tif 000002
【実用新案登録請求の範囲】
【請求項１】
透明または半透明の樹脂シートを筒状としたツリープロテクタの外周に嵌め込み、該ツリープロテクタに隣接する支柱に結束具で結束することにより、前記ツリープロテクタを筒状に保持するとともに前記支柱の横に支持する保持具において、
前記ツリープロテクタの外形と略同一の内形を有する環状部材からなり、その端縁に前記結束具を挿通する切欠部を設けたことを特徴とするツリープロテクタの保持具。
【請求項２】
環状をなす周壁において、上端縁に第１の前記切欠部を設けるとともに、下端縁に前記第１切欠部と横方向に所定間隔をもって第２の前記切欠部を設けたことを特徴とする請求項１に記載のツリープロテクタの保持具。
【請求項３】
前記ツリープロテクタおよび保持具は断面多角形状をなし、前記第１および第２切欠部は、周壁を構成する少なくとも１つの壁部に設けられていることを特徴とする請求項２に記載のツリープロテクタの保持具。
【請求項４】
前記第１および第２切欠部を前記壁部に２組設けたことを特徴とする請求項３に記載のツリープロテクタの保持具。
【請求項５】
前記切欠部は、Ｖ字形状に切り欠いた溝からなり、第１および第２切欠部の各傾斜辺を略平行に設けたことを特徴とする請求項２乃至請求項４のいずれか１項に記載のツリープロテクタの保持具。
【考案の詳細な説明】
【技術分野】
【０００１】
本考案は、苗木および林地植栽木を育成する際に、成長を促進させるとともに、鹿、兎、鼠等の動物による食害を防止するため、苗木に被せて使用するツリープロテクタの保持具に関するものである。
【背景技術】
【０００２】
従来、苗木を植林した場合には、鹿や鼠等の動物が新芽、葉あるいは茎を食べることによる食害や、苗木が雑草木の成長に負け、光不足による被覆害等により、３割から９割も枯れてしまうという問題があった。
【０００３】
そのため、近年では、半透明の樹脂材料を筒状とした所謂ツリープロテクタを苗木の上方から被せ、地面に打ち込んだ添え木等の支柱に紐やバンドなどの結束具で固定することにより、食害を防止している。また、苗木を風から保護するとともに、成長を促進させるもの構成としている。
【０００４】
ここで、図９（Ａ）に示すように、ツリープロテクタ１は、ロール状に巻かれた透明または半透明の樹脂シートからなり、６面の側面２ａ〜２ｆと、一端の側面２ａに連設され他端の側面２ｆに固着するための糊代部３とを備えたものである。隣接する側面２ａ〜２ｆおよび糊代部３との境界部分には、半切り（肉厚の略半分）状の切込部４が設けられている。この展開状態で形成されたツリープロテクタ１は、図９（Ｂ）に示すように、前記糊代部３に所定の接着剤を塗布した状態で、側面２ａを側面２ｂ間に対して折り曲げた後、側面２ｅを側面２ｄに対して折り曲げることにより、糊代部３を側面２ｆに貼着するとともに、搬送に適した２つ折り状態で形成される。
【０００５】
また、図１０に示すように、結束具５としては、可撓性を有するバンド６を備え、該バンド６の一端に内部に弾性係止片を有する係止部７を設けるとともに、バンド６の一面に不連続の係止溝８を複数設けた樹脂製の所謂バンドクリップが広く使用されている。
【０００６】
しかし、前記ツリープロテクタ１は、冬場に雪が降り積もるとその積雪した雪の圧力（積雪圧）で変形し、最悪の場合には使用不可能な状態になるという問題がある。そして、ツリープロテクタが使用不可能な状態まで変形すると、内部の苗木にも損傷を与えるという不都合が生じる。
【０００７】
本考案のツリープロテクタ１の保持具１０は、このような問題を防止するためのもので、その先行技術文献情報としては次のものがある。
【０００８】
【特許文献１】意匠登録第１０９０１５５号公報
【０００９】
この特許文献には、前記ツリープロテクタ１の変形を抑制することを目的として、図１１に示すように、ツリープロテクタ１の外形と略同一の内形を有する正六角筒状の保持具１０が記載されている。この保持具１０には、組立作業性の向上するために、その一端開口部分に、外向きに広がる環状リブ１１が設けられている。
【００１０】
この保持具１０を用いてツリープロテクタ１を立設する場合には、まず、折畳み状態のツリープロテクタ１を広げ、その外側に前記保持具１０を被せる。ついで、苗木に対して上方からツリープロテクタ１を被せるとともに、隣接するように地面に支柱９を立設する。その後、結束具のバンド６を保持具１０とツリープロテクタ１との間に挿通させ、そのバンド６が支柱９に対して斜めがけされるようにして、その先端を係止部７の孔に挿通させる。そして、所定の力で締め付けてバンド６を係止部７に係止させることにより、ツリープロテクタ１を支柱９で保持させる。
【００１１】
しかしながら、前記保持具１０を介してツリープロテクタ１を支柱９に保持させた場合、結束具５のバンド６を捻り、かつ、傾斜させた状態になる。そして、このバンド６は、その一方の縁のみが保持具１０の端縁に圧接される。そのため、特に使用場所が風が強い山間部である場合には、風を受けてツリープロテクタ１が揺動することにより、前記圧接部分に応力が集中し、結束具５が破断するという問題がある。
【００１２】
また、従来の保持具１０では、支柱９に対して結束具５で結束しているにも拘わらず、保持具１０がツリープロテクタ１から外れるという問題が生じる。これは、前記保持具１０では、前記バンド６の捻れ度合いが大きくなるため、支柱９に対するなす角も広くなり、該支柱９に対する接触面積が少なくなる。その結果、結束具５による支柱９への係止力が少なる。そして、前記保持具１０は、吹き上げられた風を保持具１０の環状リブ１１が受けることにより、保持具１０がツリープロテクタ１に沿って移動したり、ツリープロテクタ１の揺動により保持具１０が徐々に移動する。そうるすと、支柱９には滑止用の突起を形成しているにも拘わらず、結束具５が保持具１０に連動して移動するため生じていると考えられている。
【考案の開示】
【考案が解決しようとする課題】
【００１３】
本考案は、従来の問題に鑑みてなされたもので、結束具の破断、および、ツリープロテクタからの脱落を確実に防止できる保持具を提供することを課題とするものである。
【課題を解決するための手段】
【００１４】
前記課題を解決するため、本考案のツリープロテクタの保持具は、透明または半透明の樹脂シートを筒状としたツリープロテクタの外周に嵌め込み、該ツリープロテクタに隣接する支柱に結束具で結束することにより、前記ツリープロテクタを筒状に保持するとともに前記支柱の横に支持する保持具において、前記ツリープロテクタの外形と略同一の内形を有する環状部材からなり、その端縁に前記結束具を挿通する切欠部を設けた構成としている。
【００１５】
具体的には、環状をなす周壁において、上端縁に第１の前記切欠部を設けるとともに、下端縁に前記第１切欠部と横方向に所定間隔をもって第２の前記切欠部を設けている。
また、前記ツリープロテクタおよび保持具は断面多角形状をなし、前記第１および第２切欠部は、周壁を構成する少なくとも１つの壁部に設けることが好ましい。但し、保持具を組み付けたツリープロテクタを苗木に被せる際の作業性、または、支柱を立設する際の作業性を考慮すれば、全ての壁部の上下端縁に設けることが好ましい。
【００１６】
この保持具を用いたツリープロテクタの設置状態では、従来と同様に、結束具のバンドを保持具とツリープロテクタとの間に挿通し、その両端を支柱に回して係止部で係止することにより、結束具のバンドが斜めに傾斜された状態になる。しかし、本考案の保持具には、結束具のバンドを挿通する切欠部を設けているため、この切欠部を通して結束具で結束することにより、バンドの一方の縁のみが保持具の端縁に圧接された状態にはならず、バンドを切欠部の縁に対して面接触させた状態とすることができる。その結果、風を受けてツリープロテクタが揺動することにより生じる摩擦力を分散させることができ、結束具のバンドが破断することを抑制できる。
【００１７】
また、切欠部を通して結束することにより、結束具のバンドは、殆ど捻れが生じないため、支柱９に対するなす角を小さくし、支柱に対する接触面積を増大できる。その結果、結束具５による支柱９への係止力を増大できるため、ツリープロテクタに沿って保持具が移動するような力が作用しても、該保持具が徐々に移動することも確実に防止できる。
【００１８】
この保持具では、前記第１および第２切欠部を前記壁部に２組設けることが好ましい。このようにすれば、結束具を組み付ける際の方向性を無くすことができるため、作業スペースが狭い場合や作業者の利き腕などの条件に左右されることなく、効率的に結束作業を行うことができる。
【００１９】
また、前記切欠部は、Ｖ字形状に切り欠いた溝からなり、第１および第２切欠部の各傾斜辺を略平行に設けることが好ましい。このようにすれば、結束具の捻れを確実に抑制できる。
【考案の効果】
【００２０】
本考案のツリープロテクタの保持具では、切欠部を通して結束具で結束することにより、バンドの一方の縁のみが保持具の端縁に圧接された状態になることを防止できる。そのため、結束具のバンドが破断することを抑制できる。結束具による支柱に対する係止力を増大できるため、ツリープロテクタから脱落することを防止できる。
【考案を実施するための最良の形態】
【００２１】
以下、本考案の実施の形態を図面に従って説明する。
【００２２】
図１および図２は、本考案の実施形態に係るツリープロテクタ１の保持具２０を示す。この保持具２０は、図９（Ａ），（Ｂ）に示す従来と同一のツリープロテクタ１を筒状に保持するとともに、結束具５を介して支柱９の横に立設させるものである。
【００２３】
この保持具２０は、ツリープロテクタ１と同様に透明または半透明の樹脂からなり、図２（Ａ），（Ｂ），（Ｃ）に示すように、正六角筒状をなすツリープロテクタ１より若干大きい環状部材からなる。具体的には、保持具２０は、周壁を構成する６面の壁部２１ａ〜２１ｆを備えた正六角筒状をなし、その各壁部２１ａ〜２１ｆの内面により、ツリープロテクタ１の外形と略同一の内形をなすように構成されている。なお、図２（Ｂ），（Ｃ）中、細線は湾曲部分の稜を現したものである。
【００２４】
各壁部２１ａ〜２１ｆには、上端縁にＶ字形状に切り欠いた溝からなる第１切欠部２２ａ，２２ｂが一対に設けられるとともに、下端縁に同様のＶ字形状の溝からなる第２切欠部２３ａ，２３ｂが一対に設けられている。ここで、これらは、斜めに位置する切欠部２２ａ，２３ａおよび２２ｂ，２３ｂがそれぞれ対（１組）をなす。そして、本実施形態において、第１切欠部２２ａ，２２ｂおよび第２切欠部２３ａ，２３ｂは、各壁部２１ａ〜２１ｆにおいて、両端開口にかけて上下方向に延びる中心線Ｌを挟んで両側に位置するように設けられている。言い換えれば、横方向に所定間隔をもって位置する２組の切欠部２２ａ，２３ａおよび２２ｂ，２３ｂは、中心線Ｌに対して線対称に設けられている。
【００２５】
そして、２組の切欠部２２ａ，２３ａおよび２２ｂ，２３ｂは、それぞれの傾斜辺が平行に位置するように設けられている。ここで、各切欠部２２ａ，２２ｂ，２３ａ，２３ｂにおいて、一対の傾斜辺間の角度α、および、横方向の間隔Ｗは、立設する支柱９の外径に応じ、結束具５のバンド６で支柱９を回して結束した状態で、バンド６が切欠部の傾斜辺に面接触するように設定されるものである。
【００２６】
次に、前記保持具２０を用いたツリープロテクタ１の設置作業について具体的に説明する。
【００２７】
まず、図９（Ｂ）に示す折畳み状態のツリープロテクタ１を広げ、その外側に保持具２０を被せる。この際、１つのツリープロテクタ１に対して外嵌させる保持具２０の数は、そのツリープロテクタ１の全長に応じて変更される。ついで、植え付けた苗木に対して上方からツリープロテクタ１を被せるとともに、隣接するように地面に支柱９を立設する。
【００２８】
その後、結束具５のバンド６を保持具２０とツリープロテクタ１との間に挿通させ、そのバンド６が支柱９に対して斜めがけされるようにして、その先端を係止部７の孔に挿通させ、所定の力で締め付けることにより、バンド６を係止部７に係止させる。この際、結束具５のバンド６は、１組の切欠部２２ａ，２３ａまたは２２ｂ，２３ｂに挿通させる。
【００２９】
図１に示すように、この設置状態では、従来と同様に、結束具５のバンド６は斜めに傾斜された状態になる。しかし、本考案の保持具２０には、Ｖ字形状をなす２組の切欠部２２ａ，２２ｂ，２３ａ，２３ｂを設けており、結束具５のバンド６をその１組に通して結束することにより、バンド６の一方の縁のみが保持具２０の端縁に圧接した状態になることはない。即ち、結束具５のバンド６は、切欠部２２ａ，２３ａまたは２２ｂ，２３ｂの傾斜した縁に対して面接触した状態になる。その結果、風を受けてツリープロテクタ１が揺動することにより生じる摩擦力を分散させることができ、結束具５のバンド６が破断することを抑制できる。
【００３０】
また、従来の保持具１０のように外側に突出する部分（環状リブ１１）はないため、風の影響で保持具２０がツリープロテクタ１に沿って移動することはなく、脱落の１つの要因を無くすことができる。但し、保持具１０の脱落がツリープロテクタ１の揺動による移動である場合には、本実施形態の保持具２０でも同様に起こり得る。しかし、本実施形態の保持具２０では、切欠部２２ａ，２３ａまたは２２ｂ，２３ｂを通して結束することにより、結束具５のバンド６には殆ど捻れが生じない。そのため、支柱９に対するバンド６のなす角は、図３（Ａ），（Ｂ）に示すように、従来の保持具１０によるなす角β１より、本考案の保持具２０によるなす角β２が小さくなる。その結果、支柱９に対するバンド６の接触面積を増大できため、結束具５による支柱９への係止力を増大できる。しかも、なす角β２を小さくできることに伴い、支柱９の突起への係止力をも増大できる。そのため、保持具２０がツリープロテクタ１に沿って移動するような力が作用しても、結束具５による支柱９への結束力で、保持具２０が移動することを確実に防止できる。よって、具体的な要因が何であれ、保持具２０がツリープロテクタ１から脱落することを確実に防止できる。
【００３１】
さらに、本実施形態では、全ての壁部２１ａ〜２１ｆにそれぞれ２組の切欠部２２ａ，２２ｂ，２３ａ，２３ｂを設けているため、保持具２０を組み付けたツリープロテクタ１を苗木に被せる際の作業性、または、支柱９を立設する際の作業性を向上できる。しかも、結束具５を組み付ける際の方向性を無くすことができるため、作業スペースが狭い場合や作業者の利き腕などの条件に左右されることなく、効率的に結束作業を行うことができる。
【００３２】
なお、本考案のツリープロテクタ１の保持具２０は、前記実施形態の構成に限定されるものではなく、種々の変更が可能である。
【００３３】
例えば、前記実施形態では、保持具２０を構成する全ての壁部２１ａ〜２１ｆに２組の切欠部２２ａ，２３ａおよび２２ｂ，２３ｂを設けたが、図４に示すように、１つの壁部２１ａのみに設けてもよい。また、図５に示すように、対向する２つの壁部２１ａ，２１ｄにのみ設けてもよい。さらに、図６に示すように、１つ置きの３つの壁部２１ａ，２１ｃ，２１ｅにのみ設けてもよい。
【００３４】
また、図７に示すように、各壁部２１ａ〜２１ｆには、１組の切欠部２２ａ，２３ａのみを設けた構成としてもよい。勿論、図４から図６に示す変形例においても１組の切欠部２２ａ，２３ａのみを設けた構成としてもよい。
【００３５】
さらに、前記実施形態では、六角筒状のツリープロテクタ１を保持するために、同様の六角筒状の円環部材からなる保持具２０としたが、図８（Ａ），（Ｂ）に示すように、波板状の樹脂シートを円筒状としたツリープロテクタ１である場合には、保持具２０も円筒状とし、その周壁の上下端縁に切欠部２２ａ，２２ｂ，２３ａ，２３ｂを形成する。勿論、切欠部の数は１組または２組以上であってもよい。
【００３６】
さらにまた、前記実施形態および各変形例では、ツリープロテクタ１と保持具２０の外形を同一形状としたが、保持具２０の外形は異なる形状で、内径のみがツリープロテクタ１の外形と同一であるようにしてもよい。しかも、保持具２０は透明または半透明の樹脂に限られず、不透明であってもよいうえ、樹脂以外の材料により形成してもよい。
【図面の簡単な説明】
【００３７】
【図１】本考案に係る実施形態の保持具によりツリープロテクタを設置した状態を示す斜視図である。
【図２】保持具を示し、（Ａ）は斜視図、（Ｂ）は平面図、（Ｃ）は正面図である。
【図３】（Ａ）は従来の保持具を用いた結束具による結束状態を示す正面図、（Ｂ）は本考案の保持具を用いた結束具による結束状態を示す正面図である。
【図４】保持具の変形例を示す斜視図である。
【図５】保持具の他の変形例を示す斜視図である。
【図６】保持具の他の変形例を示す斜視図である。
【図７】保持具の他の変形例を示す斜視図である。
【図８】（Ａ），（Ｂ）は保持具の他の変形例を示す斜視図である。
【図９】（Ａ），（Ｂ）はツリープロテクタを示し、（Ａ）は展開状態の平面図、（Ｂ）は折畳み状態の斜視図である。
【図１０】結束具の一例を示す斜視図である。
【図１１】従来の保持具によりツリープロテクタを設置した状態を示す下方斜視図である。
【符号の説明】
【００３８】
１…ツリープロテクタ
５…結束具
９…支柱
２０…保持具
２１ａ〜２１ｆ…壁部
２２ａ，２２ｂ…第１切欠部
２３ａ，２３ｂ…第２切欠部
【図１】
0003111056.tif 000003
【図２】
0003111056.tif 000004
【図３】
0003111056.tif 000005
【図４】
0003111056.tif 000006
【図５】
0003111056.tif 000007
【図６】
0003111056.tif 000008
【図７】
0003111056.tif 000009
【図８】
0003111056.tif 000010
【図９】
0003111056.tif 000011
【図１０】
0003111056.tif 000012
【図１１】
0003111056.tif 000013